(57)【要約】      （修正有）【課題】アウトドアの環境で撮像装置を選択的に支持する。【解決手段】撮像装置を選択的に支持する多機能収納器具は、内部に形成された収容空間と支持構造とを有する主ケーシングを含んでいる。支持構造は、主ケーシングを通常収容モードと撮像モードとの間で動作させるように主ケーシング上に取り付けられており、通常収納モードにおいては、支持構造は、収容空間内での物の収納を通して可搬型持ち運び具として主ケーシングを機能させるように主ケーシング上に静置されるように構成され、撮影モードにおいては、撮影装置が、特定方向の画像を安定に撮影するために、支持台としての主ケーシングによってしっかりと取り付けられて支持される態様で、支持構造が主ケーシングから選択的に延出して画像撮影装置に取り外し可能に取り付けられる。【選択図】図１
2008199586.tif 000002
【特許請求の範囲】
【請求項１】
撮像装置を選択的に支持する多機能収納器具であって、
内部に形成された収容空間を有する主ケーシングと、
前記主ケーシング上に取り付けられ、前記主ケーシングを通常収容モードと撮像モードとの間で動作させる支持構造とを有し、
前記通常収納モードにおいては、前記支持構造は、前記収容空間内での物の収納を通して可搬型持ち運び具として主ケーシングを機能させるように前記主ケーシング上に静置されるように構成され、
前記撮影モードにおいては、前記撮影装置が、特定方向の画像を安定に撮影するために、支持台としての前記主ケーシングによってしっかりと取り付けられて支持される態様で、前記支持構造が前記主ケーシングから延出して前記画像撮影装置に取り外し可能に取り付けられることを特徴とする多機能収納器具。
【請求項２】
前記支持構造が、前記主ケーシングから作動的に延出される支持フレームを有し、
前記主ケーシングが前記通常収納モードにあるときは、前記支持フレームは前記主ケーシング上において不使用状態にあり、前記主ケーシングが前記撮影モードにあるときは、前記支持フレームは、前記主ケーシングから延出して、前記主ケーシング上に前記撮影装置を取り付けてしっかりと支持するように、前記撮影装置に取り外し可能に取り付けられることを特徴とする請求項１に記載の多機能収納器具。
【請求項３】
前記支持フレームが前記主ケーシングの前記対応する表面に搭載された強化ベースと、前記強化ベースから延出して前記撮影装置に取り外し可能に結合する長寸結合部材とを有することを特徴とする請求項２に記載の多機能収納器具。
【請求項４】
前記強化ベースが、その上に凹陥して形成され、前記長寸結合部材を揺動可能に結合する収容スロットを有しており、前記主ケーシングが前記通常収納モードにあるときは、前記強化ベースは、前記収容スロットに前記長寸結合部材を常態において収容し、前記主ケーシングが撮影モードにあるときは、前記長寸結合部材は、前記主ケーシング上において前記撮影装置をしっかりと安定に支持するように、前記強化ベースから揺動的に延出することを特徴とする請求項３に記載の多機能収納器具。
【請求項５】
前記長寸結合部材が、前記撮影装置に取り外し可能に取り付けられるように前記撮影装置の螺子切り結合穴と取り外し可能に結合する複数の螺子山をその上に規定する螺子切り外部を有していることを特徴とする請求項４に記載の多機能収納器具。
【請求項６】
前記支持フレームが、前記主ケーシングの前記外側表面に形成された揺動支持部と、前記主ケーシングが撮影モードにあるときに、前記揺動支持部から揺動的に延出して、前記撮影装置と取り外し可能に結合する結合フレームとを有することを特徴とする請求項２に記載の多機能収納器具。
【請求項７】
前記揺動支持部が、前記結合フレームと揺動可能に結合する貫通保持穴をそれぞれ有する複数の支持スリーブを有し、前記結合フレームが、主長寸部材と、前記主長寸部材と一体に、前記主長寸部材の外側端部から横方向に延び出した外部横断部材と、前記主長寸部材と一体に、前記主長寸部材の内側端部から横方向に延び出し、前記保持穴において前記揺動支持部の前記支持スリーブと揺動可能に結合する内部横断ラッチ部材を有し、前記主ケーシングが通常収納モードにあるときは、前記結合フレームは、前記主ケーシングが通常の可搬型持ち運び具として機能することを可能にするように、前記主ケーシングの外側表面と整列するように揺動的に移動し、前記主ケーシングが前記撮影モードにあるときは、前記結合フレームは、前記揺動支持部から揺動的に移動して延出し、前記撮影装置と取り外し可能に結合することを特徴とする請求項６に記載の多機能収納器具。
【請求項８】
貫通孔を有し、前記主ケーシングとユーザを取り外し可能に結合するために前記主ケーシング上に搭載された弾性クリップ部材を更に備え、前記結合フレームが、前記クリップ部材の前記貫通孔を介して前記撮影装置を取り外し可能に取り付けるために前記主ケーシングから延出することを特徴とする請求項１に記載の多機能収納器具。
【請求項９】
前記支持構造が、前記主ケーシング上に設けられた取り外し装置を更に備え、前記取り外し装置は、前記主ケーシングの外側表面にしっかりと搭載された固定部材と、前記支持フレームと結合し、前記主ケーシングを前記通常収納モードと前記撮影モードの間で動作させるために前記支持フレームを前記主ケーシングに取り外し可能に結合させるように、前記固定部材と取り外し可能に結合する支持筐体とを有することを特徴とする請求項２に記載の多機能収納器具。
【請求項１０】
前記支持フレームは、前記主ケーシングが前記撮影モードにあるときに、前記撮影装置に取り外し可能に取り付けられるために、前記支持筐体から延出する長寸結合部材を有することを特徴とする請求項９に記載の多機能収納器具。
【請求項１１】
前記固定部材がその２つの側部に長手方向に形成された複数の係合スロットを有し、前記支持筐体が、前記固定部材を前記支持筐体に取り外し可能に結合するように、前記係合スロットに挿入されるためにその２つの側部に形成された複数の対応する係合スリーブを有ことを特徴とする請求項１０に記載の多機能収納器具。
【請求項１２】
前記支持筐体が、その前側表面に凹陥して形成された結合スロットを有しており、前記長寸結合部材の内側端部は、前記支持筐体の前記結合スロットと揺動可能に結合し、前記長寸結合部材は、前記支持筐体が前記固定部材と取り外し可能に結合しているときに、前記主ケーシングから外方に向けて揺動的に延出するように適合されていることを特徴とする請求項１１に記載の多機能収納器具。
【請求項１３】
撮像装置を選択的に支持する多機能収納器具であって、
内部に形成された収容空間を有する主ケーシングと支持構造とを備え、
前記支持構造が、
前記撮影装置と取り外し可能の装置コネクターと、
前記主ケーシング上の設けられ、迅速取り外しができる態様で前記装置コネクターを結合し、前記主ケーシングを通常収容モードと撮影モードの間で動作させる支持フレームとを備え、
前記通常収納モードにおいては、前記支持構造は、前記収容空間内に物を収納することによって可搬型持ち運び具として前記主ケーシングを機能させるように前記主ケーシング上に静置されるように構成され、
前記撮影モードにおいては、前記撮影装置が特定方向の画像を安定に撮影するための支持台としての前記主ケーシングによって前記装置コネクタ及び前記支持フレームを通してしっかりと取り付けられて支持されるように、前記支持構造が前記主ケーシングから延出して前記撮影装置に取り外し可能に結合する前記装置コネクターに取り外し可能に取り付けられることを特徴とする多機能収納器具。
【請求項１４】
前記支持フレームが、前記主ケーシングと揺動可能に結合する本体を有する揺動支持ベースと、前記本体から延出する結合ソケットとを備え、前記主ケーシングを前記撮影装置と取り外し可能に結合させるように、前記装置コネクターが前記結合ソケットに取り外し可能に挿入されるように適合されていることを特徴とする請求項１３に記載の多機能収納器具。
【請求項１５】
前記支持フレームが、前記主ケーシングに搭載された強化ベースと、前記装置コネクタから延出して前記撮影装置と取り外し可能に結合する長寸結合部材とを更に備え、前記強化ベースはその上に凹陥して形成された収容スロットを備え、前記強化ベースは、前記主ケーシングが前記通常収容モードにあるときに、前記主ケーシングの外観上の美観を増進させるために、前記揺動支持ベースを常態において収容する前記収容スロットを有することを特徴とする請求項１４に記載の多機能収納器具。
【請求項１６】
前記長寸結合部材が、前記撮影装置の螺子切り結合穴と取り外し可能に結合する複数の螺子山をその上に規定する螺子切り外部を有することを特徴とする請求項１５に記載の多機能収納器具。
【請求項１７】
前記装置コネクターは、前記装置コネクターが不使用状態と結合状態の間で揺動的に移動できる態様で、前記長寸結合部材の付け根部と揺動可能に結合する本体を備え、前記不使用常態では、前記装置コネクターは、前記長寸結合部材が前記撮影装置と結合している間、揺動的に移動して前記撮影装置の対応する外表面上に静置され、前記結合状態では、前記装置コネクターは、揺動的に移動して前記撮影装置から横方向に延出し、前記揺動支持ベースの前記結合ソケットと取り外し可能に結合することを特徴とする請求項１５に記載の多機能収納器具。
【請求項１８】
外部物体に巻き付けるのに適合した長寸取付ストリップと、
前記主ケーシングと前記取付ストリップの間で結合する固定取付装置であって、前記主ケーシングが前記固定取付装置を通して前記外部物体に取り付けられることを可能にするための前記固定取付装置と、
を有する紐状取付構造を更に備えることを特徴とする請求項１７に記載の多機能収納器具。
【請求項１９】
前記固定取付装置が、その上に形成された収容穴を有し、前記取付ストリップにしっかりと取り付けられる支持パネルと、前記主ケーシングに結合する取付フレームと、前記主ケーシングを前記取付ストリップに調整可能に回転可能に結合するために、前記取付フレームを前記支持パネルに調整可能で回転可能な態様で結合させる回転コネクターとを備えることを特徴とする請求項１８に記載の多機能収納器具。
【請求項２０】
前記支持フレームが、前記主ケーシングと揺動可能に結合される本体と、前記本体から延出する結合ピンとを有しており、前記コネクタ本体の下端部は、前記主ケーシングを撮影装置に取り外し可能に結合するように、前記結合ピンと取り外し可能に結合することを特徴とする請求項１３に記載の多機能収納器具。
【請求項２１】
前記装置コネクターが、前記支持フレームに取り外し可能に結合する下端部と、前記撮影装置に結合される前記長寸結合部材から一体に延出される上端部を有するコネクタ本体を備え、前記コネクタ本体は、筒状の断面を有し、その中に、前記支持フレームと取り外し可能に結合するように形成された取付スロットを規定することを特徴とする請求項２０に記載の多機能収納器具。
【請求項２２】
前記支持フレームが、前記主ケーシングの対応する表面に搭載された強化ベースを更に備えており、前記強化ベースは、その上に凹陥して形成された収容スロットを有し、前記主ケーシングが前記通常収納モードにあるときに、前記主ケーシングの外観上の美観を増進するために、常態において前記揺動支持ベースを前記収容スロットに収容することを特徴とする請求項２１に記載の多機能収納器具。
【請求項２３】
外部物体に巻き付けるのに適合した長寸取付ストリップと、
前記主ケーシングと前記取付ストリップの間で結合する固定取付装置であって、前記主ケーシングが前記固定取付装置を通して前記外部物体にしっかりと取り付けられることを可能にするための前記固定取付装置と、
を有する紐状取付構造を更に備えることを特徴とする請求項２２に記載の多機能収納器具。
【請求項２４】
前記固定取付装置が、その上に形成された収容穴を有し、前記取付ストリップにしっかりと取付られる支持パネルと、前記主ケーシングと結合する取付フレームと、前記主ケーシングを前記取付ストリップに調整可能に回転可能に結合するために、前記取付フレームを前記支持パネルに調整可能で回転可能な態様で結合させる回転コネクターとを備えることを特徴とする請求項２３に記載の多機能収納器具。
【請求項２５】
前記長寸結合部材が、前記撮影装置の螺子切り結合穴と取り外し可能に結合する複数の螺子山をその上に規定する螺子切り外部を有することを特徴とする請求項２４に記載の多機能収納器具。
【発明の詳細な説明】
【技術分野】
【０００１】
本発明は、カメラなどの撮像装置に関し、より詳細には、アウトドアの環境でそのような撮像装置を選択的に保持するための多機能収納器具に関する。
【背景技術】
【０００２】
人々は外出するときに、一般的に鍵や携帯電話、カメラ、ナプキンなどの多様な個人的な携帯物を収容するために、手提げ鞄を持っていく。在来的な手提げ鞄は、通常内部に個人的な携帯物を収容するための収容空間を有する本体部を有しており、近年では、その中のいくつかは大変普及している。例えば、情報技術の進展により、デジタルカメラやデジタルビデオ録画装置などのビデオ又は画像撮像装置が、多くの機会において広く利用されており、これにより、ユーザーは日常の生活の中で、短いビデオや画像を素早く便利に撮影することが可能になっている。
【０００３】
このようなデジタルの携帯品をアウトドアの環境で使用する上での主要な不便さは、デジタルカメラやビデオ撮像装置などのデジタル携帯品で短いビデオクリップや画像を撮影するためには、しっかりとした安定な支持が必要になることである。例えば、ユーザが夜間に特定のシーンを撮影する必要がある場合には、そのユーザは、高品質の、或いは、意に叶う程度の夜間のシーンを撮影するために、延長された露出時間が得られるようにカメラをセットする必要がある。このような状況下、ユーザは、撮影された画像がぼやけないように、デジタルカメラを極めて安定に保持することが必要である。ユーザがそのようにできない場合には、デジタルカメラのための支持台として使えるような安定でしっかりした場所にカメラを置くことが必要になるかもしれない。これは、不便であり、時間も掛かる。多くの場合、単純に、ユーザはそのような場所を見付けることができない。
【０００４】
従来においては、デジタルカメラが極めて安定に特定の画像を撮影し、高品質の画像又は写真を生成することをができるようにするために、三脚を使ってカメラを安定に高い位置に支持する場合があった。しかし、言うまでもないが、従来の三脚は通常大変に嵩張って重く、持ち運び移動させるのに不便である。
【発明の開示】
【発明が解決しようとする課題】
【０００５】
本発明の目的は、アウトドアの環境でカメラを選択的に支持する多機能収納器具を提供することにある。
【０００６】
本発明の他の目的は、主ケーシングと、前記主ケーシングが通常の可搬型持ち運び具として機能するように適合された通常収容モードと、支持構造が画像又はビデオを撮影するために、可動的に取り付けられた態様（suspended manner）で主ケーシングから延び出して撮像装置を安定にしっかりと支持するように適合された撮影モードの間で動作させるための支持構造とを備える多機能収納器具を提供することにある。
【０００７】
本発明の他の目的は、本発明のユーザの日常の行動を妨げないように、主ケーシングが通常収納モードにあるときは、便利に簡単に持ち運びされるように適合された多機能収納器具を提供することにある。
【０００８】
本発明の他の目的は、複雑な機械的構造を使用しない多機能収納器具を提供することにある。従って、本発明の製造コストは効果的に最小化することができる。
【０００９】
このように、本発明は、撮像装置を選択的に支持する多機能収納器具であって、
内部に形成された収容空間を有する主ケーシングと、
前記主ケーシング上に取り付けられ、前記主ケーシングを通常収容モードと撮像モードとの間で動作させる支持構造とを有し、
前記通常収納モードにおいては、前記支持構造は、前記収容空間内に物を収納することによって可搬型持ち運び具として主ケーシング１を機能させるように前記主ケーシング上に静置されるように構成され、
前記撮影モードにおいては、前記撮影装置が特定方向の画像を安定に撮影するための支持台としての前記主ケーシングによってしっかりと取り付けられて支持される態様で、前記支持構造が前記主ケーシングから選択的に延出して前記画像撮影装置に取り外し可能に取り付けられることを特徴とする多機能収納器具を提供する。
【００１０】
上記した本発明の目的、構成、利点は、後述の詳細な記述、図面及び添付請求の範囲においてより明確に記述され、示される。
【発明を実施するための最良の形態】
【００１１】
添付図面中、図１、２及び１１を参照すると、撮影装置を選択的に支持する多機能収納器具が示されており、多機能収納器具は、収容空間と支持構造とを有する主ケーシング１を備えている。多機能収納器具は、画像撮影装置（例えば、デジタルカメラ）や、ビデオ撮影装置（例えば、デジタルビデオレコーダー）などの撮影装置のためのものである。
【００１２】
支持構造は、主ケーシング１を通常収納モードと撮影モードの間で動作させるように主ケーシング１上に取り付けられており、通常収納モードでは、支持構造は、収容空間に物を収納することで主ケーシング１を可搬型持ち運び具として機能させるように、主ケーシング１上に静置されるように構成され、撮影モードでは、支持構造は、撮影装置が支持基盤としての主ケーシング１によってしっかりと取り付けられて支持されて特定方向の画像を安定に撮影するように、主ケーシング１から選択的に伸び出して、画像撮影装置を取り外し可能に取り付ける。
【００１３】
本発明の第１の好ましい実施形態によれば、主ケーシング１は、コインやナプキン、鍵などの複数の個人的な携帯物を便利に携帯可能な態様で普通の収容できるような形状、サイズを有している。或いは、主ケーシング１は、撮影装置を、周囲の環境から通常保護するように、収納するように利用されることもできる。図１を参照すると、主ケーシング１は、相互に移動可能に結合して、主ケーシング１内の第１、第２のケーシング部材１１、１２の間の収容空間を規定する第１、第２のケーシング部材１１、１２を有している。更に、主ケーシング１は、第１、第２のケーシング部材１１、１２によって収容空間を選択的に閉じるように、第１、第２のケーシング部材１１、１２のそれぞれの周辺端部を結合する締め部材９を有している。
【００１４】
図１１に示すように、支持構造は、主ケーシング１の外側表面から移動可能に引き出すことがができる支持フレーム４を有しており、主ケーシング１が通常収納モードにあるときは、支持フレーム４は、主ケーシング１の外側表面に一致するように移動されて、主ケーシング１上に静置され、主ケーシング１が撮影モードにあるときは、支持フレーム４は、主ケーシング１上に撮影装置を取り付けてしっかりと支持するように、撮影装置を取り外し可能に取り付けるために、主ケーシング１の外側表面１から伸び出すように、駆動されることができる。このように、本発明のユーザは、画像又はビデオを安定な態様でしっかりと撮影するために撮影装置を使用することができる。
【００１５】
支持フレーム４は、主ケーシング１の対応する表面に搭載された強化ベース５と、強化ベース５から回転可能に伸び出して、撮影装置と取り外し可能に結合する長寸結合部材６とを有している。外観の美しさを高め、多機能収納器具の使用の最大便利さを確実にするために、強化ベース５は、主ケーシング１が通常収納モードにあるときに、長寸結合部材６を収容スロット５１の中に通常収容するためにへこんで形成された収容スロット５１を有している。しかし、主ケーシング１が撮影モードにあるときは、長寸結合部材６は、主ケーシング１上に撮影装置を安定にしっかりと支持するために、揺動的に（pivotally）動いて強化ベース５から延び出すように適合されている。
【００１６】
本発明の第１の好ましい実施形態では、長寸結合部材６は、その上の複数の螺子山を規定する螺子切り外部６１を有している。従って、長寸結合部材６は、撮影装置の螺子切りされた結合穴と取り外し可能に結合して、撮影装置に取り外し可能に取り付けられるように適合されている。換言すれば、主ケーシング１が撮影モードにあるときは、撮影装置に形成された螺子切り穴に螺子切り外部６１をねじ込むことにより、或いは、螺子切り穴から螺子切り外部６１をネジ抜くことにより、ユーザは、撮影装置を支持フレーム４に取り外し可能に結合させることができる。
【００１７】
本発明の動作は次の通りである：主ケーシング１が通常収納モードにあるときは、長寸結合部材６は収容スロット５１に隠されていて、主ケーシング１は、手提げ鞄などの通常の持ち運び具として機能する。本発明のユーザは、主ケーシング１の収容空間に個人的な携帯品を収納することが可能である。ユーザが特定方向の写真を撮影することを希望する場合には、ユーザは、長寸結合部材６を回転可能に延出させて、撮影装置の螺子切り穴に外部螺子切り部６１をねじ込むことができる。これでユーザは、主ケーシング１とともに、撮影装置を所定の位置にしっかりと安定に保持する支持基盤として機能する支持フレーム４に、撮影装置を取り外し可能に取り付けることができる。その後、ユーザは、高品質画像の撮影を行うことができる安定でしっかりとした態様で、撮影装置で画像を撮影することができる。主ケーシング１は、個人的な携帯品を通常収納しているので、それらの個人的な携帯品が撮影装置のためのしっかりとした支持の重しを提供することは、特筆すべき点である。更に、ユーザが通常は主ケーシング１で撮影装置を持ち運び、ユーザが写真を撮影する必要があるときは、ユーザは、単に撮影装置を収容空間から取り出して、撮影装置を支持構造によって取り外し可能に取り付けることができるように、主ケーシング１は、収容空間に撮影装置を収納するように設計され、造り込まれることもできる。このような状況では、主ケーシング１は、撮影装置の便利で容易な持ち運びを可能にするべく、所定の撮影装置のサイズに対応する形状及びサイズを有するべきである。
【００１８】
図３を参照すると、本発明の第１の好ましい実施形態に従う多機能収納器具の第１の代替モードが示されている。この第１の代替モードは、支持構造の支持フレーム４’を除いて上記第１の好ましい実施形態に類似している。第１の代替モードによれば、支持フレーム４’は、主ケーシング１の外表面上に取り付けられた揺動支持部３’と、主ケーシング１が撮影モードにあるときに、揺動支持部３’から揺動的に引き出されて撮影装置に取り外し可能に結合する結合フレーム４０’とを有している。より詳細には、揺動支持部３’は、それぞれが結合フレーム４０’と揺動可能に結合するための貫通保持穴を有する複数の支持スリーブ３１’を有している。
【００１９】
他方、結合フレーム４０’は、主長寸部材４０１’と、主長寸部材４０１’の外端部と一体に、また、これから横方向に伸び出した外部横断部材４３’と、主長寸部材４０１’の内端部と一体に、また、これから横方向に伸び出して、保持穴の揺動支持部３’の支持スリーブ３１’に揺動可能に結合する内部横断ラッチ部材４１’とを有している。主ケーシング１が通常収納モードにあるときには、結合フレーム４０’は、主ケーシング１の外表面と一致するように揺動的に移動し、主ケーシングが通常の可搬型持ち運び具として機能することを可能にする。主ケーシング１が撮影モードにあるときは、結合フレーム４０’は、撮影装置と取り外し可能に結合するために、揺動的に移動して揺動支持部３’から延出する。
【００２０】
従って、結合フレーム４０’は、外部横断部材４３’の外側端部に形成された複数の螺子山と、主長寸部材４０１’の外側端部を有しており、撮影装置の螺子穴に選択的に、かつ、取り外し可能に係合する。そして、ユーザは、希望の方向の写真やビデオをしっかりと安定に撮影するために、撮影装置を主長寸部材４０１’又は外部横断部材４３’のどちらかに取り外し可能に結合させることができる。
【００２１】
図４〜８を参照すると、本発明の第１の好ましい実施形態に従う多機能収納器具の第２の代替モードが示されている。この第２の代替モードは、多機能収納器具が、ユーザのズボンなどのユーザの体に主ケーシング１を取り外し可能に取り付けるために主ケーシング１上に搭載された弾性クリップ部材７’’を有する点を除いて、上記第１の好ましい実施形態と類似している。更に、結合フレーム４’’は、撮影装置に取り外し可能に取り付けられるために主ケーシング１から延出される。クリップ部材７’’は、その上に形成された貫通孔７０’’を有しており、長寸結合部材６は、貫通孔７０’’を通して主ケーシング１から外方に向けて延出されるように適合されている。
【００２２】
クリップ部材７’’は、主ケーシング１の外部表面に取り付けられる取付端部を有する本体７３’’を有しており、貫通孔７０は、クリップ部材７’’の本体７３’’に形成されて、支持フレーム４’’が通過できるようになっている。クリップ部材７’’は、更に、穴７０’’を通して支持フレーム４’’の長寸結合部材６の内側端部をしっかりと接続するために本体７３’’の内側表面に形成された支持部材７１’’を有している。本発明の第３の代替モードによれば、支持部材７１’’は、クリップ部材７’’の本体７３’’の貫通孔７０’’と整列するように形成された長穴を有する長方形の形状を有しており、長寸結合部材６の内側端部は、貫通孔７０’’ 及び支持部材７１’’ の長穴を介して支持部材７１’’としっかりと接続するように構成されている。
【００２３】
図１２を参照すると、本発明の外観上の美観を増進するために、貫通孔７０’’の長さは、好ましくは、貫通孔７０’’と揺動可能に結合される長寸結合部材６の直径よりも大きく、これにより、主ケーシング１が通常収納モードにあるときは、長寸結合部材６が貫通孔７０に収容されるように、揺動的に移動するように適合されている。主ケーシング１が撮影モードにあるときは、長寸結合部材６は、主ケーシング１から外方に延出して撮影装置を取り外し可能に取り付けるように揺動的に移動するように適合されている。
【００２４】
図９及び図１０を参照すると、本発明の第１の好ましい実施形態に従う多機能収納器具の第３の代替モードが示されている。この第３の代替モードは、支持構造が主ケーシング１上に形成された取り外し装置を有している点を除いて、上記した第１の好ましい実施形態と類似している。第３の代替モードによれば、取り外し装置は、主ケーシング１の外側表面にしっかりと搭載された固定部材５Ａと、支持フレーム４と接続され、主ケーシング１の支持フレーム４と取り外し可能に結合できるように固定部材５Ａと取り外し可能に結合する支持筐体３Ａとを有している。より詳細には、固定部材５Ａは、その２つの側部に長手方向に形成された複数の係合スロット３０Ａを有しており、支持筐体３Ａは、その２つの側部に形成された対応する複数の係合スリーブ３２１Ａを有しており、係合スロット３０Ａに取り外し可能に挿入されることで、固定部材５Ａを支持筐体３Ａと取り外し可能に結合させる。
【００２５】
図１３に示されるように、支持筐体３Ａは、その前側表面に凹陥して形成された結合スロット３１Ａを有しており、長寸結合部材６の内側端部は、支持筐体３Ａの結合スロット３Ａと揺動可能に結合されて、長寸結合部材６は、支持筐体３Ａが固定部材５Ａと取り外し可能に結合しているときに、主ケーシング１から外方に向けて延出できるように適合されている。
【００２６】
多機能収納器具の最大の便利さを確保するためには、主ケーシング１が通常収納モードにあるときに長寸結合部材６を結合スロット３１内に普通に収容するように、結合スロット３１Ａは支持筐体３０Ａ上に凹陥して形成される。しかし、主ケーシングが撮影モードにあるときは、長寸結合部材６は、主ケーシング１上に撮影装置をしっかりと安定に支持するために、揺動的に移動して支持筐体３Ａから延出するように適合されている。マイナーな変更として、長寸結合部材６は、撮影装置に取り外し可能に取り付けられるように延出するために、支持筐体３Ａに固定的に（揺動不能に）接続されることも可能である。
【００２７】
図１４〜図１６を参照すると、本発明の第２の好ましい実施形態が示されており、ここでは、多機能収納器具は、収容空間１３Ｂを有する主ケーシング１Ｂと、支持構造とを有している。多機能収納器具は、デジタルカメラなどの撮影装置を選択的に支持するためのものである。
【００２８】
支持構造は、装置結合部２１Ｂと支持フレーム４Ｂとを有している。装置結合部２１Ｂは撮影装置と取り外し可能に結合する。
【００２９】
支持フレーム４Ｂは、装置結合部２１Ｂとクイックリリース態様（迅速取り外しができる態様）で取り外し可能に接続され、主ケーシング１Ｂ上に作動的に取り付けられて、主ケーシング１Ｂを通常収納モードと撮影モードの間で動作させ、通常収納モードでは、支持構造は、主ケーシング１上に載置されるように配置されて、主ケーシング１が収容空間１３Ｂ内に物を収容することを通して可搬型持ち運び具として機能することを可能にし、撮影モードでは、特定の方向の写真を安定に撮影するために、撮影装置が装置結合部２１Ｂと支持フレーム４Ｂを通して支持基盤としての主ケーシング１Ｂによってしっかりと取り付けられて支持されるように、支持構造は、撮影装置に取り外し可能に結合する装置結合部２１Ｂに取り外し可能に取り付けられるように主ケーシング１Ｂから延出される。
【００３０】
本発明の好ましい実施形態では、主ケーシング１Ｂは、コインやナプキン、鍵などの複数の個人的な携帯品を便利に携帯可能な態様で普通に収納できる形状とサイズを有している。或いは、主ケーシング１は、撮影装置を周囲の環境から普通に保護するように収納するために利用することもできる。図１４を参照すると、主ケーシング１は、相互に動き得るように結合されて、主ケーシング１Ｂ内の第１、第２のケーシング部材１１Ｂ、１２Ｂの間に収容空間１３Ｂを規定する第１、第２のケーシング部材１１Ｂ、１２Ｂを有している。更に、第１、第２のケーシング部材１１Ｂ、１２Ｂによって収容空間１３Ｂを選択的に閉じる（enclose）ために、主ケーシング１Ｂは、更に、第１、第２のケーシング部材１１Ｂ、１２Ｂのそれぞれの周辺端部を結合する締め部材９Ｂを有している。
【００３１】
支持フレーム４Ｂは、主ケーシング１Ｂに揺動可能に結合された本体４１１Ｂと、本体４１１Ｂから延出した結合ソケット４１２Ｂとを有しており、装置コネクター２１Ｂは、主ケーシング１Ｂを撮影装置に取り外し可能に結合するように、結合ソケット４１２Ｂに取り外し可能に挿入されるように適合されている。
【００３２】
支持フレーム４Ｂは、主ケーシング１Ｂの対応する表面に搭載された強化ベース５Ｂと、撮影装置に取り外し可能に結合するように装置コネクター２１Ｂから延出する長寸結合部材６Ｂとを有している。本発明の外観上の美観を増進させ、多機能収納器具の最大の便利さを確保するために、強化ベース５Ｂは、主ケーシング１Ｂが通常収納モードにあるときに揺動支持ベース４１Ｂを常態において受容するための凹陥して形成された収容スロット５１Ｂを有している。しかし、主ケーシング１Ｂが撮影モードにあるときは、揺動支持ベース４１Ｂは、強化ベース５Ｂから延出して、主ケーシング１Ｂ上で撮影装置をしっかりと安定に支持するために装置コネクター２１Ｂと取り外し可能に結合するように揺動的に動作するよう適合されている。
【００３３】
本発明の第２の好ましい実施形態では、長寸結合部材６Ｂは、その上に複数の螺子山を規定する螺子切り外部６１を有している。従って、長寸結合部材６Ｂは、撮影装置に取り外し可能に取り付けられるように、撮影装置の螺子切り結合穴と取り外し可能に結合するように適合されている。換言すれば、主ケーシング１Ｂが撮影モードにあるときは、撮影装置に形成された螺子切り穴に螺子切り外部６１Ｂをねじ込むことにより、或いは、螺子切り穴から螺子切り外部６１Ｂをネジ抜くことにより、ユーザは、撮影装置を装置コネクター２１Ｂに取り外し可能に結合することができる。
【００３４】
装置コネクター２１Ｂは、長寸結合部材６Ｂの内側付け根部と揺動可能に結合する本体２１１Ｂを有している。長寸結合部材６Ｂは、装置コネクター２１Ｂが不使用位置と結合位置との間で揺動的に動けるように撮影装置の螺子切り結合穴に常態ではねじ込まれており、不使用状態では、装置コネクター２１Ｂは、長寸結合部材６Ｂが撮影装置の螺子切り結合穴にねじ込まれた状態で、撮影装置の対応する外側表面に静置されるように揺動的に移動し、接続位置では、装置コネクター２１Ｂは、揺動支持ベース４１Ｂの結合ソケットと取り外し可能に結合するように撮影装置から横方向に延出するように揺動的に移動する。
【００３５】
図１７Ａ及び図１７Ｂを参照すると、多機能収納器具は、更に、外部物体に巻き付けるのに適合した長寸取付ストリップ５１Ｂと、主ケーシング１Ｂが固定取付装置５２Ｂを通して外部物体に取り付けられることを可能にするために、主ケーシング１Ｂの外側表面と取付ストリップ５１Ｂの間で結合する固定取付装置５２Ｂを有する紐状取付構造５０Ｂを有している。このように、外部物体にしっかりと取り付けられた状態でユーザが安定にしっかりと撮影装置を操作できるように、撮影装置に取り外し可能に取り付けられた主ケーシング１Ｂが、円柱や木の幹などの外部物体に取り付けられるように適合されている。この構成は、本発明を使用できる環境を最大化できるように、本発明の多機能収納器具が多様な外部物体に取り付けられることを可能にする。
【００３６】
固定取付装置５２Ｂは、その上に収容穴５２１１Ｂが形成され、取付ストリップ５１Ｂにしっかりと取り付けられる支持パネル５２１Ｂと、主ケーシング１Ｂの外側取付表面１１Ｂに結合する取付フレーム５２２Ｂと、主ケーシング１Ｂを取付ストリップ５１Ｂに調整可能に回転可能に結合するために、取付フレーム５２２Ｂを支持パネル５２１Ｂに調整可能で回転可能な態様で結合させる回転コネクター５２３Ｂとを有している。収容穴５２１１Ｂが、その上に間隔を空けて放射状に形成された複数のくぼみを有する湾曲した断面形状を有していることは言及の価値がある。
【００３７】
本発明の第２の好ましい実施形態では、取付フレーム５２２Ｂは、主ケーシング１Ｂの取付表面と支持パネルをそれぞれ取り付ける第１、第２の取付パネル５２２１Ｂ、５２２２Ｂを規定するＵ型の断面を有している。取付フレーム５２２Ｂは、更に、支持パネル５２１Ｂの収容穴５２１１Ｂ内で回転コネクター５２３Ｂと結合する取付フレーム５２２Ｂの第２取付パネル５２２２Ｂから外方に突出する結合シャフト５２２３Ｂを有している。他方、回転コネクター５２３Ｂは、湾曲した断面と、回転コネクター５２３Ｂがそれぞれ突起５２３１Ｂと窪み５２１２Ｂの間での係合によって回転して別個に噛み合うように適合するような態様で、間隔を空けて、回転コネクター５２３Ｂの外側表面から外方に向けて突出し、それぞれ収容穴５２１１Ｂの窪み５２１２Ｂと係合する複数の突起５２３１Ｂを有する。更に、回転コネクター５２３Ｂは、その内部表面から内側に延出し、取付フレーム５２２Ｂの結合シャフト５２２３Ｂと整列する結合座５２３２Ｂを有しており、結合シャフト５２２３Ｂは、取付フレーム５２２Ｂが回転するように駆動されたときに、回転コネクター５２３Ｂも、それぞれ突起５２３１Ｂと窪み５２１２Ｂの間の係合によって噛み合うまで回転するように駆動されるように、結合座５２３２Ｂとしっかりと係合するように構成されている。このように、主ケーシング１Ｂに接続される取付フレーム５２２Ｂは、取付ストリップ５１Ｂに対して回転させて個別にロックすることができる。換言すれば、主ケーシング１は、取付ストリップ５１Ｂに対して回転可能であり、個別的にロック可能であり、そのために、ユーザは、特定の方向の写真を最適に撮影するために、多様な状況下で多様な外部物体に主ケーシング１Ｂと撮影装置を取り付けるために取付ストリップ５１Ｂと固定取付装置５２Ｂを使用することが可能である。
【００３８】
図１８及び図１９を参照すると、本発明の上記第２の好ましい実施形態に従う多機能収納器具の代替モードが示されている。第２の代替モードは、装置コネクター２１Ｃ及び支持フレーム４Ｃを除いて第２の好ましい実施形態に類似している。この代替モードでは、装置コネクタ２１Ｃは、支持フレーム４Ｃに取り外し可能に結合する下端部２１１１Ｃと、撮影装置の螺子切り結合穴にねじ込まれる長寸結合部材６Ｃと一体に延出する上端部２１１２Ｃを有するコネクタ本体２１１Ｃを有している。コネクタ本体２１１Ｃは、筒状の断面を有し、その中に、支持フレーム４Ｃと取り外し可能に結合するように形成された取付スロット２１１３Ｃを規定している。
【００３９】
他方、支持フレーム４Ｃは、主ケーシング１Ｃと揺動可能に結合される本体４１１Ｃと、本体４１１Ｃから延出する結合ピン４１２Ｃとを有しており、コネクタ本体２１１Ｃの下端部２１１１Ｃは、結合ピン４１２Ｃと取り外し可能に結合して、主ケーシング１Ｃを撮影装置に取り外し可能に接続するように適合されている。結合ピン４１２Ｃ及び対応する取付スロット２１１３Ｃは、円形断面、六角形断面など、多様な形状を有するように具現化され得る点は、言及の価値がある。
【００４０】
支持フレーム４Ｃは、更に、主ケーシング１Ｃの対応する表面に搭載される強化ベース５Ｃと、撮影装置と取り外し可能に結合する装置コネクタ２１Ｃから延出する長寸結合部材６Ｃを有している。本発明の外観上の美観を増進し、多機能収納器具の最大便利さを確保するために、強化ベース５Ｃは、その上に凹陥して形成された収容スロット５１Ｃを有しており、主ケーシング１Ｃが通常収納モードにあるときに揺動支持ベース４１Ｃを収容スロット５１Ｃ内に状態において収容する。しかし、主ケーシング１Ｃが撮影モードにあるときは、揺動支持ベース４１Ｃは、主ケーシング１Ｃ上で撮影装置をしっかりと安定に支持するために装置コネクタ２１Ｃと取り外し可能に結合するように、揺動的に移動して強化ベース５Ｃから延出するように適合されている。
【００４１】
当業者は、図面に示され、上述された本発明の実施形態が、単に例示的なものであって限定的なものでないことを理解するであろう。本発明の目的が効果的に達成されたものと考えることができる。上記実施形態は、本発明の機能的及び構造的な原理を示す目的で示され、記述された。従って、本発明は、添付各請求項の精神及び範囲内における全ての改変を包含する。
【図面の簡単な説明】
【００４２】
【図１】図１は、本発明の第１の好ましい実施形態に従う多機能収納器具の斜視図である。
【図２】図２は、本発明の第１の好ましい実施形態に従う多機能収納器具の側面図である。
【図３】図３は、本発明の第１の好ましい実施形態に従う多機能収納器具の第１の代替的モードである。
【図４】図４は、本発明の第１の好ましい実施形態に従う多機能収納器具の第２の代替的モードである。
【図５】図５は、本発明の第１の好ましい実施形態に従う多機能収納器具の第２の代替的モードにおける第１概略図である。
【図６】図６は、本発明の第１の好ましい実施形態に従う多機能収納器具の第２の代替的モードにおける第２概略図である。
【図７】図７は、本発明の第１の好ましい実施形態に従う多機能収納器具の第２の代替的モードにおける第３概略図である。
【図８】図８は、本発明の第１の好ましい実施形態に従う多機能収納器具の第２の代替的モードにおける第３概略図である。
【図９】図９は、本発明の第１の好ましい実施形態に従う多機能収納器具の第３の代替的モードである。
【図１０】図１０は、本発明の第１の好ましい実施形態に従う多機能収納器具の第３の代替的モードの概略図である。
【図１１】図１１は、長寸結合部材が主ケーシングの中に選択的に収容され得ることを示す本発明の第１の好ましい実施形態に従う多機能収納器具の概略図である。
【図１２】図１２は、長寸結合部材が主ケーシングの中に選択的に収容され得ることを示す本発明の第１の好ましい実施形態に従う多機能収納器具の第２の代替モードの概略図である。
【図１３】図１４は、長寸結合部材が主ケーシングの中に選択的に収容され得ることを示す本発明の第１の好ましい実施形態に従う多機能収納器具の第３の代替モードの概略図である。
【図１４】図１４は、本発明の第２の好ましい実施形態に従う多機能収納器具の分解斜視図である。
【図１５】図１５は、本発明の第２の好ましい実施形態に従う多機能収納器具の斜視図である。
【図１６】図１６は、本発明の第２の好ましい実施形態に従う多機能収納器具の断面側面図である。
【図１７Ａ】図１７Ａは、本発明の第２の好ましい実施形態に従う多機能収納器具の概略図である。
【図１７Ｂ】図１７Ｂは、本発明の第２の好ましい実施形態に従う多機能収納器具の概略図である。
【図１８】図１８は、本発明の第２の好ましい実施形態に従う多機能収納器具の代替モードである。
【図１９】図１９は、本発明の第２の好ましい実施形態に従う多機能収納器具の代替モードの概略図である。
【図１】
2008199586.tif 000003
【図２】
2008199586.tif 000004
【図３】
2008199586.tif 000005
【図４】
2008199586.tif 000006
【図５】
2008199586.tif 000007
【図６】
2008199586.tif 000008
【図７】
2008199586.tif 000009
【図８】
2008199586.tif 000010
【図９】
2008199586.tif 000011
【図１０】
2008199586.tif 000012
【図１１】
2008199586.tif 000013
【図１２】
2008199586.tif 000014
【図１３】
2008199586.tif 000015
【図１４】
2008199586.tif 000016
【図１５】
2008199586.tif 000017
【図１６】
2008199586.tif 000018
【図１７Ａ】
2008199586.tif 000019
【図１７Ｂ】
2008199586.tif 000020
【図１８】
2008199586.tif 000021
【図１９】
2008199586.tif 000022
【外国語明細書】
2008199586000001.pdf